(57)【要約】【課題】スライド支持部材を、比較的小さい固定強度を持つ位置決部材によっても、簡易な作業で強固に固定すること。【解決手段】一対の水平フレーム２２間に、ベースフレーム３０が掛渡すように配設される。ベースフレーム３０の両端部は、一対の水平フレーム２２のそれぞれに、該水平フレーム２２の長手方向以外への移動を規制された状態で、その長手方向に沿って移動自在に支持される。ベースフレーム３０の一端部が、一方側の水平フレーム２２に対してねじ部材３８を用いてねじ止固定される。【選択図】図１
2005299954.tif 000002
【特許請求の範囲】
【請求項１】
エアコン室外機を載置するためのエアコン用置き台（１０）であって、
支柱部材（４０）と、
前記支柱部材（４０）によりそれぞれ略水平姿勢で、かつ、互いに略平行姿勢で支持される一対の平行支持部材（２２）と、
前記一対の平行支持部材（２２）に、それらの間に掛渡すように支持されるスライド支持部材（３０）と、
を備え、
前記スライド支持部材（３０）が、前記一対の平行支持部材（２２）のそれぞれに前記一対の平行支持部材（２２）の長手方向以外の方向への移動を規制された状態で、その長手方向に沿って移動自在に支持されると共に、
前記一対の平行支持部材（２２）の一方側に、前記スライド支持部材（３０）の移動を規制する位置決部材（３８）が設けられた、エアコン用置き台。
【請求項２】
請求項１記載のエアコン用置き台（１０）であって、
一方側の前記平行支持部材（２２）に、その長手方向に沿って延びるねじ込み溝（２３ｓ）が形成され、
前記位置決部材（３８）として、前記ねじ込み溝（２３ｓ）にねじ込み可能なねじ部材（３８）を用いた、エアコン用置き台。
【請求項３】
請求項１又は２記載のエアコン用置き台であって、
前記一対の平行支持部材（２２）のそれぞれの長手方向中間部に、前記スライド支持部材（３０）を前記一対の平行支持部材（２２）のそれぞれにその長手方向に沿って移動自在に支持すべく挿入可能な切欠部が形成された、エアコン用置き台。
【発明の詳細な説明】
【技術分野】
【０００１】
本発明は、エアコンの室外機を載置するためのエアコン用置き台に関する。
【背景技術】
【０００２】
エアコン用置き台として、所定間隔あけて平行配置された一対の水平フレーム間に掛渡すようにして、一対のベースフレームを配設した構成のものがある。この一対のベースフレームは、エアコン室外機を載置するための部材であり、前記一対の水平フレームに対してスライド移動自在に支持されている。そして、エアコン用室外機のサイズに応じてそれらの間隔寸法を変更できるようになっている。
【０００３】
従来、一対のベースフレームを、一対の水平フレームの所定位置に位置決め固定するにあたっては、各ベースフレームの端部を一対の水平フレームのそれぞれに、フック状の止め具やボルトとナットからなる止め具を用いて固定していた。
【０００４】
なお、本願発明に関連する先行技術としては、例えば特許文献１に記載のものがある。
【０００５】
【特許文献１】実開平７−３５９２３号公報
【発明の開示】
【発明が解決しようとする課題】
【０００６】
しかしながら、上記従来技術では、ベースフレームを、一対の水平フレームのそれぞれに止め具を用いて固定しているため、一つのベースフレームにつき２カ所で固定作業を行う必要があり、固定作業性が悪かった。
【０００７】
また、ベースフレームの端部と水平フレームとの固定強度を、主として止め具による固定強度に依存する構成であるため、大型のボルト及びナットを用いた構成等、十分な固定強度を発揮し得る止め具を用いる必要がある。
【０００８】
そこで、この発明の課題は、スライド支持部材を、比較的小さい固定強度を持つ位置決部材によっても、簡易な作業で強固に固定できる技術を提供することにある。
【課題を解決するための手段】
【０００９】
上記課題を解決すべく、この発明は、エアコン室外機を載置するためのエアコン用置き台であって、支柱部材と、前記支柱部材によりそれぞれ略水平姿勢で、かつ、互いに略平行姿勢で支持される一対の平行支持部材と、前記一対の平行支持部材に、それらの間に掛渡すように支持されるスライド支持部材と、を備え、前記スライド支持部材が、前記一対の平行支持部材のそれぞれに前記一対の平行支持部材の長手方向以外の方向への移動を規制された状態で、その長手方向に沿って移動自在に支持されると共に、前記一対の平行支持部材の一方側に、前記スライド支持部材の移動を規制する位置決部材が設けられたものである。
【００１０】
この場合に、一方側の前記平行支持部材に、その長手方向に沿って延びるねじ込み溝が形成され、前記位置決部材として、前記ねじ込み溝にねじ込み可能なねじ部材を用いた構成であってもよい。
【００１１】
また、前記一対の平行支持部材（２２）のそれぞれの長手方向中間部に、前記スライド支持部材（３０）を前記一対の平行支持部材（２２）のそれぞれにその長手方向に沿って移動自在に支持すべく挿入可能な切欠部が形成されていてもよい。
【発明の効果】
【００１２】
この発明によると、スライド支持部材が、一対の平行支持部材のそれぞれに一対の平行支持部材の長手方向以外の方向への移動を規制された状態で、その長手方向に沿って移動自在に支持されると共に、前記一対の平行支持部材の一方側に、前記スライド支持部材の移動を規制する位置決部材が設けられているため、スライド支持部材の移動を規制する程度の比較的小さい固定強度を持つ位置決部材によっても、水平スライド部材を、簡易な作業で強固に固定できる。
【００１３】
この場合において、位置決部材としてねじ部材を用いて、一方側の前記平行支持部材に、その長手方向に沿って延び前記ねじ部材を螺合可能なねじ込み溝を形成すると、前記ねじ部材を前記ねじ込み溝に螺合させることで、比較的簡易な作業で任意の位置にスライド支持部材を固定できる。
【００１４】
また、前記一対の平行支持部材（２２）のそれぞれの長手方向中間部に、前記スライド支持部材（３０）を前記一対の平行支持部材（２２）のそれぞれにその長手方向に沿って移動自在に支持すべく挿入可能な切欠部が形成されていると、スライド支持部材を一対の平行支持部材に容易に組付けることができる。
【発明を実施するための最良の形態】
【００１５】
以下、この発明の実施形態に係るエアコン用置き台について説明する。
【００１６】
図１はエアコン用置き台の全体構成を示す斜視図である。このエアコン用置き台１０は、エアコン用の室外機を所定高さ位置に載置支持するための台である。図１は、比較的低い位置で室外機を載置支持する、いわゆる平置台とよばれるタイプのものを示している。
【００１７】
まず、このエアコン用置き台１０の概略構成について説明すると、エアコン用置き台１０は、水平部材２０と、この水平部材２０を所定の高さ位置に保持する支柱部材としての４本の支柱４０とを備えている。これら水平部材２０及び支柱４０の各構成部材は、例えば、アルミニウムやアルミニウム合金等の押出成形により形成される。
【００１８】
各支柱４０は、略柱状の部材に形成されている。この各支柱４０の下端部に、脚部４２が取付けられると共に、各支柱４０の上端側の所定位置に水平部材２０が取付可能に構成されている。
【００１９】
水平部材２０は、一対の平行支持部材としての一対の水平フレーム２２と、一対の縦フレーム２８とが略方形状に組合わされてなる。これら一対の水平フレーム２２及び一対の縦フレーム２８は、それぞれの端部で連結部材２９を介して略Ｌ字状に連結されている。
【００２０】
そして、各連結部材２９を、各支柱４０の上端側所定位置にボルト及びナット等の固定具により取付固定することで、水平部材２０が各支柱４０の所定高さ位置に取付固定される。これにより、上記一対の水平フレーム２２は、略水平姿勢で、かつ、互いに略平行姿勢で支持されることになる。
【００２１】
また、一対の水平フレーム２２間に掛渡すようにして、スライド支持部材としての一対のベースフレーム３０が配設支持されている。
【００２２】
各ベースフレーム３０の両端部は、それぞれ水平フレーム２２にその長手方向に沿って移動自在に支持されると共に、その水平フレーム２２の長手方向における所定位置でねじ止等で固定される（詳細は後述する）。
【００２３】
また、各ベースフレーム３０には室外機固定用のボルト等の固定具３６が設けられている。ここでは、各ベースフレーム３０の両端部近傍の位置に、固定具３６が設けられている。
【００２４】
そして、載置固定対象となる室外機のサイズに合わせて、一対のベースフレーム３０を各水平フレーム２２の長手方向に沿って移動させてそれらの間の間隔寸法を調整して一定位置で固定し、この状態で、室外機を一対のベースフレーム３０上に載置して、上記固定具３６を用いて室外機を固定する構成となっている。
【００２５】
このようなエアコン用置き台１０において、各ベースフレーム３０の両端部のそれぞれを一対の水平フレーム２２に支持する構成についてより詳細に説明する。
【００２６】
図２は図１のＩＩ−ＩＩ線断面図であり、図３は図２のＩＩＩ−ＩＩＩ線におけるベースフレームの断面図であり、図４はベースフレーム３０が水平フレーム２２に支持された部分を示す平面図である。
【００２７】
図１〜図４に示すように、上記各ベースフレーム３０の各端部は、一対の水平フレーム２２のそれぞれにその水平フレーム２２の長手方向以外への移動を規制された状態で、その長手方向に沿って移動自在に支持されている。また、その一対の水平フレーム２２の一方側に、水平フレーム２２の移動を規制する位置決部材としてのねじ部材３８が設けられている。
【００２８】
より具体的に説明すると、各ベースフレーム３０は、長手方向に沿って同一断面形状を有する略筒状部材であり、例えば、アルミニウム又はアルミニウム合金の押出成形により形成される。ここでは、ベースフレーム３０は、略台形の断面形状に形成されている。
【００２９】
また、各ベースフレーム３０の上面の幅方向中央部に、その長手方向に沿って所定幅のスリット状の開口部３１が形成されている。各ベースフレーム３０の内部であって当該開口部３１の両側部に、補強等の機能を果す仕切壁３１ａが形成されている。
【００３０】
また、開口部３１に、固定具３６が装着されている。固定具３６は、ゴム等の弾性部材により形成されたブッシュ部材３６ａと、ボルト３７ｂ及びナット３７ａとを備えている。
【００３１】
ブッシュ部材３６ａは、略円柱状部材の軸方向中間部に、開口部３１の両側縁部の厚み寸法に対応する環状溝３６ｇが形成された形状とされている。そして、ブッシュ部材３６ａの両側部で、その環状溝３６ｇ内に開口部３１の両側縁部を嵌め込むことで、ブッシュ部材３６ａがベースフレーム３０の長手方向に沿って移動自在に開口部３１に装着される。
【００３２】
また、ブッシュ部材３６ａの中心部には、その軸方向に沿って貫通孔３６ｈが形成されており、その下端部よりボルト３７ｂが挿入配置されると共に、ブッシュ部材３６ａの上側に突出するボルト３７ｂにナット３７ａが螺合締結可能とされている。
【００３３】
そして、ボルト３７ｂ及びナット３７ａの螺合締結を解除した状態で、室外機のサイズに合わせてベースフレーム３０の長手方向の所定位置にブッシュ部材３６ａを移動させ、この状態で、ブッシュ部材３６ａ上に室外機を載置して、ボルト３７ｂ及びナット３７ａを用いて室外機を固定する構成とされている。
【００３４】
また、各ベースフレーム３０の両端部の下面に、外方に突出するガイド用突起部３２が形成されている。ここでは、各ベースフレーム３０の両端部の下面であってその幅方向略中央部に、その幅方向に沿って延びる長円状のガイド用突起部３２が形成されている。このガイド用突起部３２は、後述する水平フレーム２２側のガイド溝部２３ｇ内に収容可能な大きさ及び形状に形成されている。
【００３５】
さらに、各ベースフレーム３０の両端部の下面に、ねじ部材３８を挿通可能なねじ挿通孔３３ｈが形成されている。ここでは、各ベースフレーム３０の両端部の下面であってその幅方向略中央部、より具体的には、ガイド用突起部３２の中央部に、ねじ挿通孔３３ｈが形成されている。
【００３６】
また、各水平フレーム２２は、長手方向に沿って同一断面形状を有する略筒状部材であり、例えば、アルミニウム又はアルミニウム合金の押出成形により形成される。
【００３７】
各水平フレーム２２は、略角筒状の水平フレーム本体部２３と、この水平フレーム本体部２３の外側部（一対の水平フレーム２２の並列配置形態における外側部）から上方に延びる受側壁部２４とを備えている。
【００３８】
水平フレーム本体部２３は、その上面側にベースフレーム３０の端部を載置可能な載置面部２３ａを有している。この載置面部２３ａの幅方向略中央部には、水平フレーム２２の長手方向に沿って延びるガイド溝２３ｇが形成されている。ガイド溝２３ｇは、ガイド用突起部３２を水平フレーム２２の長手方向に沿ってスライド移動自在に収容可能な溝幅及び溝深さを有する溝形状に形成されている。そして、ガイド用突起部３２をガイド溝２３ｇ内に収容させるようにして、ベースフレーム３０の端部を載置可能な載置面部２３ａ上に載置することで、ベースフレーム３０の端部が、水平フレーム２２の幅方向への移動を規制された状態で、水平フレーム２２の長手方向に沿って移動自在に載置支持される。
【００３９】
また、水平フレーム本体部２３の載置面部２３ａには、水平フレーム２２の長手方向に沿って延びるねじ込み溝２３ｓが形成されている。ここでは、ガイド溝２３ｇの幅方向略中央部に、当該ガイド溝２３ｇより幅狭なねじ込み溝２３ｓが形成されている。
【００４０】
ねじ込み溝２３ｓは、後述するねじ部材３８のねじ部３８ａの外径よりも小さくかつその谷径よりも大きな幅で、かつ、該ねじ部材３８をねじ込み可能な十分な深さ寸法を有している。そして、そのねじ込み溝２３ｓに対して、その長手方向に沿った任意の位置で、ねじ部材３８をねじ込み可能に構成されている。
【００４１】
受側壁部２４は、一対の水平フレーム２２の並列配置形態における内向きに指向する受面２４ａと、この受面２４ａの上端縁部より内方に延びる押え片２４ｂとを有している。
【００４２】
そして、ベースフレーム３０の端部を上記載置面部２３ａ上に載置した状態で、該ベースフレーム３０の端面が受面２４ａに摺接可能とされている。このように、ベースフレーム３０の端面が受面２４ａに摺接する構成をもって、ベースフレーム３０の端部が水平フレーム２２の外方向への移動を規制される。
【００４３】
また、押え片２４ｂと載置面部２３ａの上面との間には、ベースフレーム３０の略厚み寸法の間隔が形成されている。そして、ベースフレーム３０の端部を上記載置面部２３ａ上に載置した状態で、押え片２４ｂが、ベースフレーム３０の端部の上面に摺接可能とされている。このように、押え片２４ｂと載置面部２３ａの上面とが、ベースフレーム３０の端部の上下面に摺接する構成をもって、ベースフレーム３０の端部が水平フレーム２２の上下方向への移動を規制される。
【００４４】
また、ねじ部材３８は、一対の水平フレーム２２の一方側に設けられている。ねじ部材３８としては、ねじ込み溝２３ｓにねじ込むことで、該ねじ込み溝２３ｓ内面にねじ立てが可能なねじ、例えば、タッピングねじが用いられる。
【００４５】
このねじ部材３８は、ねじ挿通孔３３ｈを通ってねじ込み溝２３ｓの長手方向所定位置にねじ込まれる。このねじ部材３８がねじ込み溝２３ｓにねじ込まれる螺合締結力によって、水平フレーム２２の長手方向に対するベースフレーム３０の端部の位置決め固定が図られる。
【００４６】
なお、このようにねじ部材３８を用いてベースフレーム３０の位置決めを図る構成は、一対の水平フレーム２２の一方側だけで採用される。従って、他方側の水平フレーム２２のねじ込み溝２３ｓや、ベースフレーム３０の他端部におけるねじ挿通孔３３ｈは省略されていてもよい。
【００４７】
このように構成されたエアコン用置き台１０を組立てるにあたっては、各水平フレーム２２の端部で、ベースフレーム３０の各端部の上下面を押え片２４ｂの下面と載置面部２３ａの上面とに摺接させると共に、その端面を受面２４ａに摺接させ、さらに、ガイド用突起部３２をガイド溝２３ｇ内に収容させるようにして、各ベースフレーム３０の各端部と各ベースフレーム３０とを組合わせる。
【００４８】
なお、一対の水平フレーム２２のそれぞれの長手方向中間部に、ベースフレーム３０の端部挿入用の切欠部を形成しておき、この切欠部を通じてベースフレーム３０の端部を各水平フレーム２２に組込むようにしてもよい。
【００４９】
この切欠部は、例えば、押え片２４ｂの長手方向所定位置部分を、ベースフレーム３０の端部平面視形状に応じた形状で切欠くことにより形成される。また、ベースフレーム３０の長手方向において切欠部が形成される位置は、その端部以外の任意の中間位置とすることができる。もっとも、通常の使用形態で、ベースフレーム３０の脱落を防止するためには、その長手方向中央部であることが好ましい。
【００５０】
この場合、一対の水平フレーム２２及び一対の縦フレーム２８を略方形枠状に組立てた後で、切欠部を通じて各ベースフレーム３０の端部の組付を行えるという利点がある。
【００５１】
これにより、一対のベースフレーム３０の各端部が、一対の水平フレーム２２のそれぞれにその水平フレーム２２の幅方向及び上下方向への移動を規制された状態、即ち、水平フレーム２２の長手方向以外への移動を規制された状態で、該水平フレーム２２の長手方向に沿って移動自在に支持されることになる。
【００５２】
この後、一対の水平フレーム２２及び一対の縦フレーム２８を、連結部材２９を介して略方形枠状に組立てる。さらにこの後、連結部材２９を支柱４０の上端側所定位置に取付固定することで、エアコン用置き台１０が組立てられる。
【００５３】
そして、このエアコン用置き台１０上に室外機を載置固定するにあたっては、室外機のサイズにあわせて、一対のベースフレーム３０を一対の水平フレーム２２の長手方向に沿って移動させた状態で、ねじ部材３８を、ねじ挿通孔３３ｈに通してねじ込み溝２３ｓに螺合締結させる。この際、例えば、ドライバ等の工具を、ベースフレーム３０の開口部３１を通ってベースフレーム３０内に導入して、ねじ部材３８のねじ頭に押付けることで、ねじ部材３８のネジ締め作業が行われる。これにより、ベースフレーム３０の一端部が水平フレーム２２の長手方向沿って一定位置で位置決め固定される。このようなネジ締め作業を、一方側の水平フレーム２２側だけで行う。
【００５４】
また、室外機のサイズに合わせてベースフレーム３０の長手方向の所定位置にブッシュ部材３６ａを移動させ、この状態で、ブッシュ部材３６ａ上に室外機を載置して、ボルト３７ｂ及びナット３７ａを用いて室外機を固定する。
【００５５】
これにより、室外機の載置固定作業が終了する。
【００５６】
以上のように構成されたエアコン用置き台１０によると、一対の水平フレーム２２の一方側において、ねじ部材３８をネジ締めすることで、簡易な作業でベースフレーム３０の固定を行える。
【００５７】
また、この際、ベースフレーム３０が一対の水平フレーム２２のそれぞれに該水平フレーム２２の長手方向以外の方向への移動を規制された状態で、その長手方向に沿って移動自在に支持されているため、一方側のベースフレーム３０において、ベースフレーム３０の移動を規制する程度の比較的小さい固定強度を持つねじ部材３８等の位置決固定部材によって、強固に固定できる。
【００５８】
なお、位置決固定部材としては、タッピングねじ等のねじ部材３８の他、ボルトを用いた構成や、水平フレーム２２とベースフレーム３０の端部とをバネ部材等で挟持する構成等を採用することができる。
【００５９】
もっとも、水平フレーム２２側にねじ込み溝２３ｓを形成すると共に、位置決部材としてねじ込み溝２３ｓにねじ込み可能なタッピングねじ等のねじ部材３８を用いると、該ねじ部材３８をねじ込み溝２３ｓにねじ込むという比較的簡易な作業で、水平フレーム２２の長手方向に沿った任意の一定位置にベースフレーム３０を固定できるという利点がある。
【００６０】
また、ボルト及びナットを用いてベースフレームを固定する構成では、スパナ等の工具を用いて強い力で締結固定する必要があるため、そのボルトの周りに、該工具を操作するための作業スペースを大きく確保しておく必要がある。このため、例えば、該ボルトの頭部を外部に露出させておく必要がある。しかしながら、本エアコン用置き台１０では、ベースフレーム３０の移動を規制する程度の比較的小さい固定強度を発揮できる程度のねじ部材３８を用いることができ、従って、例えば、ねじ部材３８の上方からドライバ等の工具を差込んで回すだけで位置決め固定作業を行える。このため、ねじ部材３８をベースフレーム３０内に組込んで、外部から視認し難いようにすることができる。
【００６１】
なお、ベースフレームの端部を水平フレームの長手方向以外の方向への移動を規制した状態で固定する構成としては、上記実施形態で述べた構成の他、種々の構成を採用することができる。
【００６２】
図５は、ベースフレームを水平フレームにスライド自在に支持する変形例を示す平面図であり、図６は図５のＶＩ−ＶＩ線断面図である。
【００６３】
この変形例では、上記水平フレーム２２に対応する水平フレーム１２２は、長手方向に沿って同一断面形状を有する略筒状部材であり、例えば、アルミニウム又はアルミニウム合金の押出成形により形成される。
【００６４】
また、各水平フレーム１２２は、略角筒状の水平フレーム本体部１２３と、この水平フレーム本体部１２３の外側部（一対の水平フレーム１２２の並列配置形態における外側部）から上方に立設されたガイド片１２４とを備えている。
【００６５】
水平フレーム本体部１２３は、その上面側にベースフレーム１３０の端部を載置可能な載置面部１２３ａを有している。この載置面部１２３ａの幅方向略中央部には、水平フレーム１２２の長手方向に沿って延びるガイド溝１２３ｇが形成されている。ガイド溝１２３ｇは、後述するガイド用突起部１５５を水平フレーム１２２の長手方向に沿ってスライド移動自在に収容可能な溝幅及び溝深さを有する溝形状に形成されている。そして、ガイド用突起部１５５をガイド溝１２３ｇ内に収容させるようにして、ベースフレーム１３０の端部を載置可能な載置面部１２３ａ上に載置することで、ベースフレーム１３０の端部が、水平フレーム１２２の幅方向への移動を規制された状態で、水平フレーム１２２の長手方向に沿って移動自在に載置支持される。
【００６６】
ガイド片１２４は、載置面部１２３ａの一側部から上方に延びる垂直片１２４ａと、該垂直片１２４ａの上端縁部から一対の水平フレーム１２２の並列配置形態における内向きに延びる水平片１２４ｂとを有している。
【００６７】
そして、ベースフレーム１３０の端部を上記載置面部１２３ａ上に載置した状態で、水平片１２４ｂが後述するガイド挿入溝１５１ｇ内に嵌り込むことにより、ベースフレーム１３０の端部が水平フレーム１２２の外方向及び上下方向への移動を規制される。
【００６８】
また、上記ベースフレーム３０に対応するベースフレーム１３０は、長手方向に沿って同一断面形状を有する略筒状部材であり、例えば、アルミニウム又はアルミニウム合金の押出成形により形成される。この各ベースフレーム１３０の上面の幅方向中央部には、その長手方向に沿って所定幅のスリット状の開口部１３１ａが形成されると共に、その両端部の下面に後述するガイド用突起部１５５及びねじ部材１３８の先端部を下方に突出配置させるための開口部１３１ｂが形成されている。
【００６９】
また、各ベースフレーム１３０の端部には、スライド支持部材１５０が取付けられている。
【００７０】
スライド支持部材１５０は、ベースフレーム１３０の端部側開口を閉塞する基部１５１と、その基部１５１の両端部に突出形成された一対の嵌入部材１５２と、基部１５１のうち一対の嵌入部材１５２間に突出形成された突出ガイド部１５４とを有している。
【００７１】
基部１５１の外面側には、ガイド挿入溝１５１ｇが形成されている。ガイド挿入溝１５１ｇは、水平フレーム１２２の長手方向に沿って延びる所定深さの溝形状に形成されている。そして、上記水平片１２４ｂが本ガイド挿入溝１５１ｇ内にスライド自在に挿入されるように構成されている。
【００７２】
嵌入部材１５２は、ベースフレーム１３０の端部側開口の両側部に圧入可能な突出形状に形成されている。そして、一対の嵌入部材１５２を、ベースフレーム１３０の端部側開口の両側部に圧入することで、本スライド支持部材１５０がベースフレーム１３０の端部に取付固定される。
【００７３】
突出ガイド部１５４の下面側には、ガイド用突起部１５５が形成されている。ここでは、突出ガイド部１５４の下面側に、ガイド溝１２３ｇの延在方向に沿って所定間隔あけて２つのガイド用突起部１５５が形成されている。
【００７４】
各ガイド用突起部１５５は、上記開口部１３１ｂを通ってベースフレーム１３０の下面側に突出して、上記ガイド溝１２３ｇ内に収容されると共に、そのガイド溝１２３ｇ内をスライド移動自在な大きさ及び形状に形成されている。
【００７５】
また、突出ガイド部１５４には、ねじ孔１５４ｈが形成されている。ここでは、上記突出ガイド部１５４間に、ねじ孔１５４ｈが形成されている。
【００７６】
そして、ねじ孔１５４ｈにねじ部材１３８を螺合させると、そのねじ孔１５４ｈの下方に突出するねじ部材１３８の先端部が、上記開口部１３１ｂを通ってベースフレーム１３０の下面側に突出して、上記ガイド溝１２３ｇの底面に圧接し、これにより、水平フレーム１２２の長手方向に対してベースフレーム１３０の位置決め固定がなされるようになっている。
【００７７】
なお、ベースフレーム１３０の一方側のスライド支持部材１５０では、ねじ止固定する必要がないので、上記ねじ孔１５４ｈを省略してもよい。
【００７８】
この変形例では、ベースフレーム１３０の端部下面が上記載置面部１２３ａに摺接する構成及び水平片１２４ｂがガイド挿入溝１５１ｇ内にスライド自在に挿入される構成により、ベースフレーム１３０の端部が上下方向への移動を規制される。また、各ガイド用突起部１５５がガイド溝１２３ｇ内にスライド移動自在に収容される構成をもって、ベースフレーム１３０の端部が水平フレーム１２２の幅方向への移動を規制される。これらの構成により、ベースフレーム１３０の端部が水平フレーム１２２の長手方向以外の方向への移動を規制した状態でスライド自在に固定される。
【００７９】
このように、ベースフレームの端部を水平フレームの長手方向以外の方向への移動を規制した状態でスライド自在に支持する構成としては、種々の構成を採用することができる。
【００８０】
また、本実施形態では、比較的低い位置で室外機を載置支持する、いわゆる平置台とよばれるタイプに適用した例について説明したが、その他、種々のエアコン置き台に適用できる。例えば、より高い位置で室外機を載置支持する、いわゆる高置台と呼ばれるタイプや、また、図７に示すエアコン用置き台２１０のように、上記水平部材２０を上下２段に備え、それぞれの水平部材２０に室外機を載置支持する、いわゆる２段置台と呼ばれるタイプのものについても、適用できる。
【図面の簡単な説明】
【００８１】
【図１】この発明の第１実施形態に係るエアコン用置き台の全体構成を示す斜視図である。
【図２】図１のＩＩ−ＩＩ線断面図である。
【図３】図２のＩＩＩ−ＩＩＩ線におけるベースフレームを示す断面図である。
【図４】ベースフレームが水平フレームに支持された部分を示す平面図である。
【図５】ベースフレームを水平フレームにスライド自在に支持する変形例を示す平面図である。
【図６】図５のＶＩ−ＶＩ線断面図である。
【図７】変形例に係る２段置台タイプのエアコン用置き台を示す斜視図である。
【符号の説明】
【００８２】
１０  エアコン用置き台
２２  水平フレーム
２３  水平フレーム本体部
２３ａ  載置面部
２３ｇ  ガイド溝
２３ｓ  ねじ込み溝
２４  受側壁部
２４ａ  受面
２４ｂ  押え片
３０  ベースフレーム
３２  ガイド用突起部
３３ｈ  ねじ挿通孔
３８  ねじ部材
４０  支柱
１２２  水平フレーム
１２３  水平フレーム本体部
１２３ａ  載置面部
１２３ｇ  ガイド溝
１２４  ガイド片
１２４ａ  垂直片
１２４ｂ  水平片
１３０  ベースフレーム
１３８  ねじ部材
１５０  スライド支持部材
１５１  基部
１５１ｇ  ガイド挿入溝
１５４  突出ガイド部
１５４ｈ  ねじ孔
１５５  ガイド用突起部
【図１】
2005299954.tif 000003
【図２】
2005299954.tif 000004
【図３】
2005299954.tif 000005
【図４】
2005299954.tif 000006
【図５】
2005299954.tif 000007
【図６】
2005299954.tif 000008
【図７】
2005299954.tif 000009